(57)【特許請求の範囲】
【請求項１】
予め設定されたダイクッション力指令に基づいてサーボモータを駆動し、クッションパッドにダイクッション力を発生させるダイクッション力制御方法であって、
前記クッションパッドを、ダイクッション力作用開始予定位置である所定のダイクッション待機位置に待機させる工程と、
プレス機械のスライドが、前記ダイクッション待機位置に到達する前に、前記ダイクッション力指令を出力し、前記クッションパッドを予備加圧する予備加圧工程と、
を含むダイクッション力制御方法。
【請求項２】
前記予備加圧工程は、プレス機械のスライドが、前記ダイクッション待機位置よりも上方の、０．１ｍｍ以上６０ｍｍ以下の範囲内の予備加圧開始位置に達すると、前記ダイクッション力指令を出力する請求項１に記載のダイクッション力制御方法。
【請求項３】
前記予備加圧工程は、プレス機械のスライドが、前記ダイクッション待機位置に到達する時刻よりも前の予備加圧開始時刻であって、０．００１秒以上０．１秒以下の範囲内の予備加圧開始時刻に達すると、前記ダイクッション力指令を出力する請求項１に記載のダイクッション力制御方法。
【請求項４】
前記プレス機械のスライドにセットされる上金型と前記クッションパッドにクッションピンを介して支持されるブランクホルダとに設けられたロックビード成形部により、前記ブランクホルダ上にセットされる材料に少なくともロックビードを成形するプレス加工に使用される請求項１から３のいずれか１項に記載のダイクッション力制御方法。
【請求項５】
サーボモータを駆動してクッションパッドにダイクッション力を発生させるダイクッション力発生器と、
ダイクッション力指令を出力するダイクッション力指令器と、
前記ダイクッション力指令器から出力されるダイクッション力指令に基づいて、前記ダイクッション力が前記ダイクッション力指令に対応するダイクッション力になるように前記サーボモータを制御するダイクッション力制御器と、を備え、
前記ダイクッション力指令器は、プレス機械のスライドが、ダイクッション力作用開始予定位置である所定のダイクッション待機位置に到達する前に、前記ダイクッション力指令を出力することを特徴とするダイクッション装置。
【請求項６】
前記スライドの位置を検出するスライド位置検出器を備え、
前記ダイクッション力指令器は、前記スライド位置検出器により検出される前記スライドの位置が、前記ダイクッション待機位置よりも上方の所定の位置に達すると、前記ダイクッション力指令を出力する請求項５に記載のダイクッション装置。
【請求項７】
前記所定の位置は、０．１ｍｍ以上６０ｍｍ以下の範囲内の位置である請求項６に記載のダイクッション装置。
【請求項８】
前記スライドの１サイクル内の時刻を計測する計測器を有し、
前記ダイクッション力指令器は、前記計測器により計測される時刻が、前記スライドが前記ダイクッション待機位置に到達する時刻よりも前の所定の時刻に達すると、前記ダイクッション力指令を出力する請求項５に記載のダイクッション装置。
【請求項９】
前記所定の時刻は、０．００１秒以上０．１秒以下の範囲内の時刻である請求項８に記載のダイクッション装置。
【請求項１０】
前記クッションパッドの位置を制御するダイクッション位置制御器を備え、
前記ダイクッション位置制御器は、前記クッションパッドを、前記ダイクッション待機位置に移動させて待機させる請求項５から９のいずれか１項に記載のダイクッション装置。
【請求項１１】
前記ダイクッション力発生器は、前記クッションパッドを支持する液圧シリンダと、前記液圧シリンダのクッション圧発生側加圧室に吐出口が接続された液圧ポンプ／モータと、前記液圧ポンプ／モータの回転軸に接続された前記サーボモータとからなる請求項５から１０のいずれか１項に記載のダイクッション装置。
【発明の詳細な説明】
【技術分野】
【０００１】
本発明はダイクッション力制御方法及びダイクッション装置に係り、特にダイクッション力の応答遅れがなく所定のダイクッション力を発生させる技術に関する。
【背景技術】
【０００２】
従来、予め設定されたダイクッション力指令に基づいてサーボモータを駆動し、クッションパッドにダイクッション力を発生させるサーボダイクッション装置が提案されている（特許文献１、２）。
【０００３】
サーボダイクッション装置は、図７に示すようにダイクッション力作用開始（プレス・スライドが上金型、材料、ブランクホルダ、クッションピンを介してクッションパッドと衝突する）時に、材料、ブランクホルダ、クッションピン、クッションパッドを含む、ダイクッション関連の可動質量に作用する重力に釣り合う分の、荷重Ａが作用している状態（位置制御状態）から、所定のダイクッション力Ｂ（Ｂ：荷重Ａに対して比較上、数倍から数１０倍と大きな力）まで増力（昇力）する為に、０．０３秒〜０．１秒程度のダイクッション力応答時間ａ（増力作用に伴う遅れ時間）を要する。
【０００４】
また、ダイクッション力作用開始時には、プレス・スライドの衝突による衝撃（力）が発生し、ダイクッション力が、ダイクッション力指令（設定力）よりも大きくなったり（オーバーシュートしたり）、小さくなったり（アンダーシュートしたり）するという問題が発生していた。
【０００５】
このプレス・スライドの衝突による衝撃（力）を低減させる為に、クッションパッドを予備加速することが一般的に行われている（特許文献３等）。
【０００６】
ここで、図８に示すように予備加速時間をｂとすると、予備加速時間ｂとダイクッション力応答時間ａとの合計時間（ａ＋ｂ）に応じて、ダイクッション力作用完了（プレス・スライド）位置は、ダイクッション待機位置（プレス・スライド）位置に対して、スライドの移動速度×時間（ａ＋ｂ）分だけ下降した下方になる。
【０００７】
ダイクッション力応答距離Ｘ、または、ダイクッション予備加速距離Ｙとダイクッション力応答距離Ｘの和によって、絞り成形時には、絞り成形開始時（成形初期）に、ブランク（材料）の縁を押圧する力が足りず、材料の縁から、半径方向に、皺（絞り皺）が発生し、皺が生じた状態で絞り込まれる（成形が進展する）為、製品形状を阻害するのみならず、皺の凹凸により、金型（上下）の成形面に損傷（“かじり”）を生じさせる。
【０００８】
張出成形時には、やはり、張出成形開始時（成形初期）に、ブランク（材料）の縁を押圧する力が足りず、張出した製品部分に、“張り”が欠如する。張出成形で形状化される、自動車のボンネットの外板で例えると、指で軽く押しただけで、“ベコッ”と変形する不良品が生じてしまう。このように張出成形において、成形開始初期の押圧力は特に重要であり、一般的に考えると、ダイクッション力応答距離Ｘやダイクッション予備加速距離Ｙを伴う、サーボダイクッションでは、張出成形を担うことが、少なくとも、従来の（成形開始時に、ブランクホルダ上面高さと、凸金型上面高さとが一致する）金型構造では、困難と考えられている。
【０００９】
つまり、この区間（ダイクッション予備加速距離Ｙ＋ダイクッション力応答距離Ｘ）は、ダイクッション力作用が絞り成形上不十分であったり、張り出し成形上不可能であったりする。
【００１０】
図７に示すように予備加速を行わない場合は、図８に示すように予備加速を行った場合に対して、ダイクッション力作用は早いが、応答時間ａに依存するダイクッション力応答距離Ｘが発生し、少なくとも張り出し成形機能上不十分な応答性であって、更に衝突に伴うダイクッション力のオーバーシュートやアンダーシュート等、衝撃力が発生し、問題になる。
【００１１】
一方で、エア（常圧）式ダイクッション装置の場合は、ダイクッション力作用開始位置において、クッションパッドは、既に上側機械限（ストッパ）に加力した状態で待機しており、ダイクッション力作用は完了している。エア式ダイクッション装置は、サーボダイクッション装置を使用した場合のようなダイクッション力作用に伴う応答遅れは無く、絞り成形や張り出し成形を可能にしている。しかし、別の観点では（例えば、スライドストロークに比例して増圧（増力）すること等）問題が有り、サーボダイクッション装置が誕生したことは言うまでも無い。
【先行技術文献】
【特許文献】
【００１２】
【特許文献１】特開２００６−３１５０７４号公報
【特許文献２】特開２０１２−２４０１１０号公報
【特許文献３】特開２００７−３０１５９９号公報
【発明の概要】
【発明が解決しようとする課題】
【００１３】
サーボダイクッション装置における問題は、ダイクッション力応答距離Ｘが発生することと、さらに衝撃力を抑制する目的の予備加速を行う為に、予備加速距離Ｙ分増長される（ダイクッション予備加速距離Ｙ＋ダイクッション力応答距離Ｘ）ことに起因する。
【００１４】
このサーボダイクッション装置の問題を解消するために、図９に示すようにブランクホルダ（ダイクッション待機位置）を、予めダイクッション力応答距離Ｘとダイクッション予備加速距離Ｙとの合計距離（Ｘ＋Ｙ）に相当する距離（又はダイクッション力応答距離Ｘ）分だけ、ダイクッション力作用必要位置よりも上方に位置させることによって、成形上の対処を行う方法がある。
【００１５】
しかし、この方法は、使用される金型の構造上（ガイドストロークの制約上）、適用できない場合が多々ある。また、ダイクッション力を余計にストロークさせることに伴うエネルギの無駄が生じる。更に、ダイクッション力を作用させる工程では、プレス・スライド速度の制約を受けることが多い為、サイクル数（生産性）が低下し易いという問題がある。
【００１６】
本発明はこのような事情に鑑みてなされたもので、ダイクッション待機位置を上方に変更することなく、ダイクッション力の応答遅れを改善することができるダイクッション力制御方法及びダイクッション装置を提供することを目的とする。
【課題を解決するための手段】
【００１７】
上記目的を達成するために本発明の一の態様に係る発明は、予め設定されたダイクッション力指令に基づいてサーボモータを駆動し、クッションパッドにダイクッション力を発生させるダイクッション力制御方法であって、前記クッションパッドを、ダイクッション力作用開始予定位置である所定のダイクッション待機位置に待機させる工程と、プレス機械のスライドが、前記ダイクッション待機位置に到達する前に、前記ダイクッション力指令を出力し、前記クッションパッドを予備加圧する予備加圧工程と、を含むことを特徴とする。
【００１８】
本発明の一の態様によれば、クッションパッドを所定のダイクッション待機位置（所定のダイクッション力を作用させるダイクッション力作用開始予定位置）に待機させておき、プレス機械のスライドがダイクッション待機位置に到達する前に、ダイクッション力指令を出力する。これにより、クッションパッドは、ダイクッション力を加える方向（上方）に予備加圧される。即ち、予備加速を行って衝撃力を抑制するのでは無く、ダイクッション待機位置（直）前に上方に対して（予備加速する方向と反対方向に）予備加圧し、衝突する前にダイクッション力制御を開始させるようにしている。これにより、ダイクッション力作用を早め、ダイクッション力の応答遅れを改善することができる。
【００１９】
本発明の他の態様に係るダイクッション力制御方法において、前記予備加圧工程は、プレス機械のスライドが、前記ダイクッション待機位置よりも上方の、０．１ｍｍ以上６０ｍｍ以下の範囲内の予備加圧開始位置に達すると、前記ダイクッション力指令を出力することが好ましい。
【００２０】
ダイクッション待機位置よりも上方の０．１ｍｍ以上の予備加圧開始位置に達したときにダイクッション力指令を出力することにより、ダイクッション待機位置に達したときにダイクッション力指令を出力する場合に比べて、ダイクッション力作用を早めることができる。また、上限を６０ｍｍとした理由は、ダイクッション力の応答時間は、機械の能力や使用する金型や成形する材料等の条件にもよるが、概ね０．０３秒〜０．１秒である。本プレス機械の平均的なダイクッション力の応答時間を（０．０３秒＋０．１秒）／２=０．０６５秒とし、この応答時間分、ダイクッション待機位置での衝突より先行してダイクッション力制御を開始するタイミングをスライド位置で判断する場合、ダイクッション力制御開始時のスライド位置は、応答時間（０．０６５秒）と衝突時近傍のスライド速度（ｍｍ／秒）とを乗じた値になる。スライド速度は、速い場合で、８００ｍｍ／秒程度となることが考えられ、その時、ダイクッション力制御開始時のスライド位置は、０．０６５秒×８００ｍｍ／秒＝５２ｍｍになり、それに対して余裕を見て６０ｍｍにしている。
【００２１】
本発明の更に他の態様に係るダイクッション力制御方法において、前記予備加圧工程は、プレス機械のスライドが、前記ダイクッション待機位置に到達する時刻よりも前の予備加圧開始時刻であって、０．００１秒以上０．１秒以下の範囲内の予備加圧開始時刻に達すると、前記ダイクッション力指令を出力することが好ましい。
【００２２】
０．１秒は、ダイクッション力応答時間の上限（最も遅い場合の応答時間（秒））を示し、０．００１秒は、０では無い本発明が有効になる最小の、デジタル制御を構成する為の制御サンプリング時間（０．００１秒）×１サンプル分の時間を意味する。
【００２３】
本発明の更に他の態様に係るダイクッション力制御方法において、前記プレス機械のスライドにセットされる上金型と前記クッションパッドにクッションピンを介して支持されるブランクホルダとに設けられたロックビード成形部により、前記ブランクホルダ上にセットされる材料に少なくともロックビードを成形するプレス加工に使用されることが好ましい。
【００２４】
材料にロックビードを成形する場合、ロックビードの成形の際にダンパ効果が発生し、ダイクッション力作用を安定化させることができる。これにより、衝突する前にダイクッション力制御を開始する作用と、その時（先行加圧時）にロックビードを成形することに伴うダンパ効果とにより、ダイクッション力作用を安定化させながら、ダイクッション力作用を早めることができる。
【００２５】
本発明の更に他の態様に係るダイクッション装置は、サーボモータを駆動してクッションパッドにダイクッション力を発生させるダイクッション力発生器と、ダイクッション力指令を出力するダイクッション力指令器と、前記ダイクッション力指令器から出力されるダイクッション力指令に基づいて、前記ダイクッション力が前記ダイクッション力指令に対応するダイクッション力になるように前記サーボモータを制御するダイクッション力制御器と、を備え、前記ダイクッション力指令器は、プレス機械のスライドが、ダイクッション力作用開始予定位置である所定のダイクッション待機位置に到達する前に、前記ダイクッション力指令を出力することを特徴としている。
【００２６】
本発明の更に他の態様に係るダイクッション装置において、前記スライドの位置を検出するスライド位置検出器を備え、前記ダイクッション力指令器は、前記スライド位置検出器により検出される前記スライドの位置が、前記ダイクッション待機位置よりも上方の所定の位置に達すると、前記ダイクッション力指令を出力する。
【００２７】
本発明の更に他の態様に係るダイクッション装置において、前記所定の位置は、０．１ｍｍ以上６０ｍｍ以下の範囲内の位置であることが好ましい。
【００２８】
本発明の更に他の態様に係るダイクッション装置において、前記スライドの１サイクル内の時刻を計測する計測器を有し、前記ダイクッション力指令器は、前記計測器により計測される時刻が、前記スライドが前記ダイクッション待機位置に到達する時刻よりも前の所定の時刻に達すると、前記ダイクッション力指令を出力するようにしている。
【００２９】
本発明の更に他の態様に係るダイクッション装置において、前記所定の時刻は、０．００１秒以上０．１秒以下の範囲内の時刻であることが好ましい。
【００３０】
本発明の更に他の態様に係るダイクッション装置において、前記クッションパッドの位置を制御するダイクッション位置制御器を備え、前記ダイクッション位置制御器は、前記クッションパッドを、前記ダイクッション待機位置に移動させて待機させるようにしている。
【００３１】
本発明の更に他の態様に係るダイクッション装置において、前記ダイクッション力発生器は、前記クッションパッドを支持する液圧シリンダと、前記液圧シリンダのクッション圧発生側加圧室に吐出口が接続された液圧ポンプ／モータと、前記液圧ポンプ／モータの回転軸に接続された前記サーボモータとからなることが好ましい。前記ダイクッション力発生器を、液圧シリンダ、液圧ポンプ／モータ及びサーボモータにより構成することにより、液圧シリンダがダンパ作用を有するため、衝突時の衝撃力が作用し難いものになる。
【発明の効果】
【００３２】
本発明によれば、プレス機械のスライドがダイクッション待機位置に到達する前に、ダイクッション力指令を出力するようにしたため、クッションパッドを予備加圧することができ、これによりダイクッション力作用を早め、ダイクッション力の応答遅れを改善することができる。さらに、金型を介してスライドと衝突する前にダイクッション力制御を開始することで、衝突と位置制御から力制御への制御変更とが異なる時刻に生じる作用と、その時（先行加圧時）にロックビードを成形する際のダンパ効果とにより、ダイクッション力作用を安定化させることができる。
【図面の簡単な説明】
【００３３】
【図１】図１は本発明に係るダイクッション装置の実施の形態を示す構成図である。
【図２】図２はダイクッション装置におけるダイクッション制御装置の実施の形態を示すブロック図である。
【図３】図３（ａ）は本発明に係るダイクッション力指令、ダイクッション力応答、スライド位置、及びダイクッション位置を示す波形図であり、図３（ｂ）はダイクッション装置等の要部を示す図である。
【図４】図４は従来の予備加速を行った場合のダイクッション力作用時の各物理量の変化を示す波形図である。
【図５】図５は予備加速を行わない場合の従来のダイクッション力作用時の各物理量の変化を示す波形図である。
【図６】図６は本発明に係る予備加圧を行った場合のダイクッション力作用時の各物理量の変化を示す波形図である。
【図７】図７は予備加速を行わない場合の従来のダイクッション力作用時の各物理量の変化を示す波形図である。
【図８】図８は従来の予備加速を行った場合のダイクッション力作用時の各物理量の変化を示す波形図である。
【図９】図９はダイクッション力応答距離及びダイクッション予備加速距離の合計距離相当だけダイクッション待機位置を上方に設定した場合のダイクッション力作用時の各物理量の変化を示す波形図である。
【発明を実施するための形態】
【００３４】
以下添付図面に従って本発明に係るダイクッション力制御方法及びダイクッション装置の好ましい実施形態について詳説する。
【００３５】
［ダイクッション装置の構成］
図１は本発明に係るダイクッション装置の実施の形態を示す構成図である。尚、図１において、プレス機械１００は２点鎖線で示され、ダイクッション装置２００は実線で示されている。
【００３６】
図１に示すプレス機械１００は、ベッド１０２、コラム１０４及びクラウン１０６でフレームが構成され、スライド１１０は、コラム１０４に設けられたガイド部１０８により鉛直方向に移動自在に案内されている。スライド１１０は、図示しない駆動手段によって回転駆動力が伝達されるクランク軸１１２を含むクランク機構によって図１上で上下方向に移動させられる。
【００３７】
プレス機械１００のベッド１０２側には、スライド１１０の位置を検出するスライド位置検出器１１４が設けられ、クランク軸１１２には、クランク軸１１２の角速度及び角度をそれぞれ検出するクランク軸エンコーダ１１６が設けられている。
【００３８】
スライド１１０には上金型１２０が装着され、ベッド１０２上（のボルスタ上）には下金型１２２が装着されている。
【００３９】
上金型１２０と下金型１２２の間には、ブランクホルダ（皺押え板）２０２が配置され、下側が複数のクッションピン２０４を介してクッションパッド２１０で支持され、上側には材料２０３がセットされる（接触する）。
【００４０】
本例の上金型１２０は、凸のロックビード成形部１２０ａを有し、ブランクホルダ２０２は、凹のロックビード成形部２０２ａを有している。
【００４１】
＜ダイクッション装置の構造＞
ダイクッション装置２００は、主としてブランクホルダ２０２と、ブランクホルダ２０２を複数のクッションピン２０４を介して支持するクッションパッド２１０と、クッションパッド２１０を支持し、クッションパッド２１０にダイクッション力を発生させる油圧シリンダ（液圧シリンダ）２２０と、油圧シリンダ２２０を駆動する油圧回路２５０と、油圧回路２５０を制御するダイクッション制御装置３００（図２）とから構成されている。
【００４２】
油圧シリンダ２２０及び油圧回路２５０は、クッションパッド２１０を昇降動作させるクッションパッド昇降器として機能するとともに、クッションパッド２１０にダイクッション力を発生させるダイクッション力発生器として機能する。
【００４３】
また、油圧シリンダ２２０に対して、油圧シリンダ２２０のピストンロッド２２０ａの伸縮方向の位置を、クッションパッド２１０の昇降方向の位置として検出するダイクッション位置検出器２２４が設けられている。尚、ダイクッション位置検出器は、ベッド１０２とクッションパッド２１０との間に設けるようにしてもよい。
【００４４】
次に、油圧シリンダ２２０を駆動する油圧回路２５０の構成について説明する。
【００４５】
油圧回路２５０は、アキュムレータ２５２、油圧ポンプ／モータ（液圧ポンプ／モータ）２５４、油圧ポンプ／モータ２５４の回転軸に接続されたサーボモータ２５６、サーボモータ２５６の駆動軸の角速度（サーボモータ角速度ω）を検出する角速度検出器２５８、リリーフ弁２６０、逆止弁２６２及び圧力検出器２６４から構成されている。
【００４６】
アキュムレータ２５２は、低圧のガス圧がセットされ、タンクの役割を果たすとともに、逆止弁２６２を介して略一定の低圧油を油圧シリンダ２２０の上昇側加圧室（クッション圧発生側加圧室）２２０ｂに供給し、ダイクッション力制御時に昇圧しやすくする役割も果す。
【００４７】
油圧ポンプ／モータ２５４の一方のポート（吐出口）は、油圧シリンダ２２０の上昇側加圧室２２０ｂに接続され、他方のポートはアキュムレータ２５２に接続されている。
【００４８】
尚、リリーフ弁２６０は、異常圧力発生時（ダイクッション力制御が不能で、突発的な異常圧力発生時）に動作し、油圧機器の破損を防止する手段として設けられている。また、油圧シリンダ２２０の下降側加圧室（パッド側加圧室）２２０ｃは、アキュムレータ２５２に接続されている。
【００４９】
油圧シリンダ２２０の上昇側加圧室２２０ｂに作用する圧力は、圧力検出器２６４により検出され、サーボモータ２５６の駆動軸の角速度は角速度検出器２５８により検出される。
【００５０】
［ダイクッション力制御の原理］
ダイクッション力は、油圧シリンダ２２０の上昇側加圧室２２０ｂの圧力とシリンダ面積の積で表すことができるため、ダイクッション力を制御することは、油圧シリンダ２２０の上昇側加圧室２２０ｂの圧力を制御することを意味する。
【００５１】
いま、油圧シリンダ・ダイクッション圧発生側断面積：ａ
油圧シリンダ・ダイクッション圧発生側体積：Ｖ
ダイクッション圧：Ｐ
電動（サーボ）モータトルク：Ｔ
サーボモータの慣性モーメント：Ｉ
サーボモータの粘性抵抗係数：ＤM
サーボモータの摩擦トルク：ｆM
油圧モータの押し退け容積：Ｑ
スライドから油圧シリンダピストンロッドに加わる力：Ｆｓｌｉｄｅ
プレスに押されて発生するパッド速度：ｖ
油圧シリンダピストンロッド＋パッドの慣性質量：Ｍ
油圧シリンダの粘性抵抗係数：ＤS
油圧シリンダの摩擦力：ｆS
圧油に押されて回転するサーボモータ角速度：ω
作動油の体積弾性係数：Ｋ
比例定数：ｋ１、ｋ２
とすると、静的な挙動は（１）及び（２）式で表すことができる。
【００５２】
Ｐ=∫Ｋ（（ｖ・Ａ−ｋ１Ｑ・ω）／Ｖ）ｄｔ ……（１）
Ｔ=ｋ２・ＰＱ／（２π） ……（２）
また、動的な挙動は（１）、（２）式に加えて（３）、（４）式で表すことができる。
【００５３】
ＰＡ−Ｆ＝Ｍ・ｄv／ｄｔ＋ＤS・ｖ＋ｆS ……（３）
Ｔ−ｋ２・ＰＱ／（２π）＝I・ｄω／ｄｔ＋ＤM・ω＋ｆM ……（４）
上記（１）〜（４）式が意味するもの、即ち、スライド１１０からクッションパッド２１０を介して油圧シリンダ２２０に伝わった力は、油圧シリンダ２２０の上昇側加圧室２２０ｂを圧縮し、ダイクッション圧を発生させる。同時に、ダイクッション圧によって油圧ポンプ／モータ２５４を油圧モータ作用させ、この油圧ポンプ／モータ２５４に発生する回転軸トルクがサーボモータ２５６の駆動トルクに抗じたところで、サーボモータ２５６を回転させ、圧力の上昇が抑制される。結局、ダイクッション圧は、サーボモータ２５６の駆動トルクに応じて決定される。
【００５４】
［ダイクッション制御装置］
図２は、ダイクッション装置２００におけるダイクッション制御装置３００の実施の形態を示すブロック図である。
【００５５】
ダイクッション制御装置３００は、ダイクッション位置制御装置３１０と、ダイクッション力制御装置３２０とから構成されている。
【００５６】
ダイクッション制御装置３００には、クランク軸１１２の角速度及び角度を検出するクランク軸エンコーダ１１６からクランク角度信号が加えられており、ダイクッション制御装置３００は、入力するクランク角度信号に基づいてスライド１１０が非加工工程の領域にあるか、又は加工工程の領域にあるかを判断し、スライド１１０が非加工工程の領域にある場合には、ダイクッション位置制御装置３１０によるダイクッション位置制御状態に切り替え、スライド１１０が加工工程の領域にある場合には、ダイクッション力制御装置３２０によるダイクッション力制御状態に切り替える。
【００５７】
＜ダイクッション位置の制御＞
ダイクッション位置制御装置３１０は、主としてダイクッション位置指令器３１２、及びダイクッション位置制御器３１４を有している。ダイクッション位置指令器３１２には、位置指令生成における初期値生成用に使用するためにダイクッション位置検出器２２４からダイクッション位置（クッションパッド位置）を示すダイクッション位置検出信号が加えられており、ダイクッション位置指令器３１２は、スライド１１０が下死点に到達し、ダイクッション力制御終了後に、製品ノックアウト動作を行うとともに、クッションパッド２１０を初期位置であるダイクッション待機位置に待機させるために、ダイクッション位置（クッションパッド２１０の位置）を制御するダイクッション位置指令を出力する。
【００５８】
ダイクッション位置制御状態の場合、ダイクッション位置制御器３１４は、ダイクッション位置指令器３１２から出力されるダイクッション位置指令とダイクッション位置検出器２２４により検出されるダイクッション位置検出信号とに基づいて、増幅器兼ＰＷＭ制御器３６０を介してサーボモータ２５６を制御し、油圧ポンプ／モータ２５４から油圧シリンダ２２０の上昇側加圧室２２０ｂに圧油を供給する。
【００５９】
これにより、油圧シリンダ２２０のピストンロッド２２０ａの伸縮方向の位置を制御することにより、クッションパッド２１０の昇降方向の位置（ダイクッション位置）を制御することができる。尚、ダイクッション位置制御器３１４は、角速度検出器２５８により検出されるサーボモータ２５６の駆動軸の角速度信号を用いて、動的安定性を確保のためにサーボモータ２５６を速度制御し、クッションパッド２１０の昇降方向の位置制御を行うことが好ましい。
【００６０】
＜ダイクッション力の制御＞
ダイクッション力制御装置３２０は、主としてダイクッション力指令器３２２と、ダイクッション力制御器３２４とから構成されている。
【００６１】
ダイクッション力指令器３２２には、スライド１１０の位置に応じたダイクッション力指令を出力するために、スライド位置検出器１１４により検出されたスライド位置検出信号が加えられている。
【００６２】
本例の場合、ダイクッション力指令器３２２は、後述するようにステップ状のダイクッション力指令（図３のダイクッション力指令Ｂ）を出力し、スライド位置検出信号に基づいてダイクッション力指令の出力タイミング等を制御している。
【００６３】
尚、スライド１１０の１サイクル内の時刻（例えば、クランク角度信号により検出されるスライド１１０が上死点位置に到達した時点からの時刻）を計測するタイマ（計測器）を設け、ダイクッション力指令器３２２は、タイマから、スライド１１０の上死点位置からの時間経過を示す計時信号を入力し、この計時信号に基づいてダイクッション力指令の出力タイミング等を制御することができる。
【００６４】
本発明は、スライド１１０の位置がダイクッション力作用開始位置に到達する前に、ダイクッション力指令器３２２からダイクッション力指令を出力し、ダイクッション力作用開始位置において、所定のダイクッション力になるように予備加圧することにあるが、ダイクッション力指令器３２２からダイクッション力指令を出力する出力タイミングの詳細については後述する。
【００６５】
ダイクッション力制御器３２４は、ダイクッション力指令器３２２から加えられるダイクッション力指令どおりにダイクッション力を制御するために、圧力検出器２６４により検出された油圧シリンダ２２０の上昇側加圧室２２０ｂの圧力を示すダイクッション圧検出信号を入力している。また、ダイクッション力制御器３２４は、ダイクッション力の動的安定性を確保するための角速度フィードバック信号として、角速度検出器２５８により検出されるサーボモータ２５６の駆動軸の角速度（サーボモータ角速度（ω））を示すサーボモータ角速度信号を入力している。また、クランク軸エンコーダ１１６によって検出されるクランク角速度を示すクランク角速度信号を、ダイクッション力制御における動的安定性を確保のための補償に使用するために入力してもよい。
【００６６】
ダイクッション力制御器３２４は、ダイクッション位置制御状態（ダイクッション待機位置（保持））制御状態からダイクッション力制御状態に制御を切り替えられると、ダイクッション力指令、ダイクッション圧検出信号、サーボモータ角速度信号、クランク角速度信号（プレス速度信号）を用いて演算したトルク指令を、増幅器兼ＰＷＭ制御器３６０を介してサーボモータ２５６に出力することでダイクッション力制御を行う。
【００６７】
ダイクッション力制御時の、スライド１１０が材料２０３（及びブランクホルダ２０２）に衝突してから下死点に至るまでの下降時（加工時）は、サーボモータ２５６のトルク出力方向と発生速度が反対になる。即ち、スライド１１０からクッションパッド２１０が受ける動力によって油圧シリンダ２２０の上昇側加圧室２２０ｂから圧油が油圧ポンプ／モータ２５４に流入し、油圧ポンプ／モータ２５４が油圧モータとして作用する。この油圧ポンプ／モータ２５４によってサーボモータ２５６が従動して発電機として作用する。サーボモータ２５６によって発電された電力は、増幅器兼ＰＷＭ制御器３６０及び電力回生機能付き直流電源装置３６２を介して交流電源３６４に回生される。
【００６８】
＜ダイクッション力制御方法の第１の実施形態＞
本発明は、サーボモータで駆動するダイクッション装置において、ダイクッション力制御開始（直）前に、上方（ダイクッション力が作用する方向）に、予備（先行）加圧することにより、ダイクッション力作用を早めることにある。
【００６９】
これにより、サーボダイクッション装置を使用した場合には困難と考えられていた、成形開始時に所定のダイクッション力が作用していることが条件になる張出成形用途にも、適用可能になる。
【００７０】
従来は、ダイクッション力作用時の衝突における衝撃（力）を低減させる為に、予備加速を行っていた。この場合、ダイクッション力作用は著しく遅くなるが、本発明は、予備加速を行う場合とは、真逆の発想である。
【００７１】
図３（ａ）は、本発明に係るダイクッション力指令、ダイクッション力応答、スライド位置、及びダイクッション位置を示す波形図である。また、図３（ｂ）は、ダイクッション装置２００等の要部を示す図であり、特にブランクホルダ２０２が、所定のダイクッション待機位置で待機している状態に関して示している。
【００７２】
前述したように、ダイクッション装置２００は、スライド１１０が非加工工程の領域にある場合には、ダイクッション力制御状態からダイクッション位置制御状態に切り替えられ、ダイクッション位置制御状態の場合、ダイクッション位置指令とダイクッション位置検出器２２４により検出される位置検出値とに基づいてサーボモータ２５６が制御され、油圧ポンプ／モータ２５４から油圧シリンダ２２０の上昇側加圧室２２０ｂに圧油が供給される。そして、ダイクッション力制御状態に切り替えられる前に、ブランクホルダ２０２は、初期位置のダイクッション待機位置に待機するように位置制御されている。
【００７３】
このダイクッション位置制御時に油圧シリンダ２２０に加わる荷重Ａは、材料２０３、ブランクホルダ２０２、クッションピン２０４、クッションパッド２１０を含む、ダイクッション関連の可動質量に作用する重力に釣り合う分の荷重になっている。
【００７４】
ここで、プレス・スライドが、ダイクッション待機位置に到達する時刻をｔＤＣとすると、ダイクッション力指令器３２２（図２）は、タイマから入力する計時信号に基づいて、プレス・スライドが時刻ｔＤＣよりも時間ｃ（秒）だけ早い時刻（予備加圧開始時刻）ｔ０にダイクッション力指令Ｂ（ステップ状の指令）を出力する。これにより、ダイクッション力制御装置３２０は、時刻ｔＤＣよりも時間ｃだけ早くダイクッション位置制御状態からダイクッション力制御状態に切り替えられ、ダイクッション力制御を開始する。
【００７５】
スライド１１０が、上金型１２０、材料２０３、ブランクホルダ２０２、クッションピン２０４を介してクッションパッド２１０と衝突する前に、ダイクッション力指令Ｂによるダイクッション力制御が開始されるため、ブランクホルダ２０２は、ダイクッション待機位置から上方に移動し、ブランクホルダ２０２上の材料２０３は、ダイクッション待機位置よりも上方の位置でスライド１１０とともに下降してくる上金型１２０と衝突し、ダイクッション力が急激に上昇する。
【００７６】
そして、本例では、スライド１１０がダイクッション待機位置に到達する時刻ｔＤＣに、ダイクッション力は、ダイクッション力指令Ｂに対応する設定値に達する。即ち、スライド１１０がダイクッション待機位置に到達する時刻ｔＤＣに、所望のダイクッション力が作用している状態になり、従来、ダイクッション力作用が完了するまでに要するダイクッション力応答距離Ｘを相殺すること（即ち、ダイクッション待機位置を、ダイクッション力作用完了位置と一致させること）ができる。
【００７７】
このように、スライド１１０が、ダイクッション待機位置に到達する前に、ダイクッション力指令Ｂを出力することにより、ダイクッション力応答時間を零（ダイクッション力応答距離Ｘを相殺）することができ、ダイクッション力作用を早めることができる。
【００７８】
また、衝突する前にダイクッション力制御を開始させるため、衝突と同時にダイクッション力制御を開始させる場合に比べて、衝突後に発生する衝撃力（オーバーシュートやアンダーシュート等）を小さくすることができる。
【００７９】
更に、本例の上金型１２０は、凸のロックビード成形部１２０ａを有し、ブランクホルダ２０２は、凹のロックビード成形部２０２ａを有しているため、先行加圧時に材料２０３にロックビード（絞りビード）を成形することができる。このロックビードの成形に伴うダンパ効果により、ダイクッション力作用を安定化させることができる。
【００８０】
更にまた、本例のダイクッション装置２００は、油圧シリンダ及びサーボモータを用いたサーボダイクッション装置であるため、油圧シリンダの容積が大きくダンパ作用が強く働き、油圧シリンダを使用しないサーボダイクッション装置に比べて衝撃力が作用し難いものとなる。
【００８１】
＜ダイクッション力制御方法の第１の実施形態の変形例＞
ダイクッション力制御方法の第１の実施形態では、図３に示したようにプレス・スライドが、ダイクッション待機位置に到達する時刻ｔＤＣよりも時間ｃだけ早い予備加圧開始時刻ｔ０にダイクッション力指令Ｂを出力しており、この予備加圧開始時刻ｔ０は、時刻ｔ０にダイクッション力指令Ｂを出力すると、プレス・スライドがダイクッション待機位置に到達する時刻ｔＤＣ（即ち、時間ｃの経過後）に、ダイクッション力がダイクッション力指令Ｂに達する時刻としたが、これに限らず、予備加圧開始時刻ｔ０としては、プレス・スライドがダイクッション待機位置に到達する時刻ｔＤＣよりも前の時刻であって、０．００１秒以上０．１秒以下の範囲内の適宜の時刻を設定することができる。
【００８２】
ここで、０．１秒は、ダイクッション力応答時間の上限（最も遅い場合の応答時間）を示し、０．００１秒は、０では無い本発明が有効になる最小の、デジタル制御を構成する為の制御サンプリング時間（０．００１秒）×１サンプル分の時間を意味する。つまり、ダイクッション力制御開始時点を、従来の衝突時に対して、その応答時間分先行させることを主眼としているが、ダイクッション力応答時間ｃより短い（０では無い、１制御サンプリング時間＝０．００１秒）時間分先行させることで、本発明の効果は少なくとも作用する。
【００８３】
尚、制御サンプリング時間は、サーボダイクッション装置を構成する場合、ＮＣ装置（数値制御装置）により、短い場合で０．０００５秒から、長い場合で０．００２秒程度の幅を有しているが、機械の応答性より実質的に０．００１秒を考えれば充分（それ以下にしても機械が応答しない）であると考えられる。
【００８４】
＜ダイクッション力制御方法の第２の実施形態＞
ダイクッション力制御方法の第１の実施形態では、図３に示したようにプレス・スライドが、ダイクッション待機位置に到達する時刻ｔＤＣよりも時間ｃだけ早い予備加圧開始時刻ｔ０にダイクッション力指令Ｂを出力したが、ダイクッション力制御方法の第２の実施形態は、プレス・スライドが、ダイクッション待機位置よりも距離Ｈだけ上方のダイクッション作用開始位置（予備加圧開始時刻ｔ０に相当する予備加圧開始位置）に到達したときに、ダイクッション力指令Ｂを出力する。
【００８５】
即ち、ダイクッション力指令器３２２（図２）は、スライド位置検出器１１４からスライド位置検出信号を入力し、入力したスライド位置検出信号に基づいてスライド位置が、ダイクッション作用開始位置（予備加圧開始位置）に達したことを検知すると、ダイクッション力指令Ｂを出力する（図３参照）。
【００８６】
これにより、プレス・スライドがダイクッション待機位置に到達したときには、ダイクッション力は、ダイクッション力指令Ｂに対応する設定値に達する。即ち、スライド１１０がダイクッション待機位置に到達すると、所望のダイクッション力が作用している状態になり、従来、ダイクッション力作用が完了するまでに要するダイクッション力応答距離Ｘを相殺すること（即ち、ダイクッション待機位置を、ダイクッション力作用完了位置と一致させること）ができる。
【００８７】
＜ダイクッション力制御方法の第２の実施形態の変形例＞
ダイクッション力制御方法の第２の実施形態では、ダイクッション待機位置よりも距離Ｈだけ上方の予備加圧開始位置は、プレス・スライドがダイクッション待機位置に到達したときに、ダイクッション力がダイクッション力指令Ｂに対応する設定値に達する位置としたが、これに限らず、予備加圧開始位置としては、ダイクッション待機位置よりも上方の０．１ｍｍ以上６０ｍｍ以下の範囲内の適宜の位置を設定することができる。
【００８８】
ここで、ダイクッション待機位置よりも上方の０．１ｍｍ以上の予備加圧開始位置に達したときにダイクッション力指令を出力することにより、プレス・スライドがダイクッション待機位置に達したときにダイクッション力指令を出力する場合に比べて、ダイクッション力作用を早めることができる。
【００８９】
また、上限を６０ｍｍとした理由は、ダイクッション力の応答時間は、機械の能力や使用する金型や成形する材料等の条件にもよるが、概ね０．０３秒〜０．１秒である。本プレス機械の平均的なダイクッション力の応答時間を（０．０３秒＋０．１秒）／２=０．０６５秒とし、この応答時間分、衝突（従来のダイクッション力制御開始）時より先行してダイクッション力制御を開始するタイミングをスライド位置で判断する場合、ダイクッション力制御（先行）開始時のスライド位置は、応答時間（０．０６５秒）と衝突時近傍のスライド速度（ｍｍ／ｓ）とを乗じた値になる。スライド速度は、速い場合で、８００ｍｍ／秒程度となることが考えられ、その時、ダイクッション力制御開始時のスライド位置（予備加圧開始位置）は、０．０６５秒×８００ｍｍ／秒＝５２ｍｍになり、それに対して余裕を見て６０ｍｍにしている。
【００９０】
＜実施例＞
以下の条件によりプレス機械１００を運転し、ダイクッション力の作用効果を確認する実験を行った。
【００９１】
プレス機械  ストローク：    １１００ｍｍ
クランクモーション：            １０ｓｐｍ
ダイクッション力：          ２０００ｋＮ
ダイクッションストローク：  ９６．１ｍｍ
衝突速度（スライド位置９６．１ｍｍ到達時の速度）：  ３５０ｍｍ／ｓ
＜比較例１＞
図４は、従来の予備加速を行った場合のダイクッション力作用時の各物理量の変化を示す波形図であり、図４（ａ）はスライド位置及びダイクッション位置（ＤＣ位置）を示す波形図であり、図４（ｂ）はダイクッション力指令（ＤＣ荷重指令）及びダイクッション力応答（ＤＣ荷重）を示す波形図である。
【００９２】
ダイクッション力指令に対応するダイクッション力が発生するまでのブランクホルダの移動距離（予備加速距離＋ダイクッション力応答距離）が２２ｍｍとなり、オーバーシュートが２％、アンダーシュートが５％となった。
【００９３】
予備加速を行う場合、オーバーシュート及びアンダーシュートは低減されるものの、ダイクッション力指令に対応するダイクッション力が発生するまでのブランクホルダの移動距離が長くなるという問題がある。
【００９４】
＜比較例２＞
図５は、予備加速を行わない場合の従来のダイクッション力作用時の各物理量の変化を示す波形図であり、図５（ａ）はスライド位置及びダイクッション位置を示す波形図であり、図５（ｂ）はダイクッション力（荷重）指令及びダイクッション力（荷重）応答を示す波形図である。
【００９５】
ダイクッション力指令に対応するダイクッション力が発生するまでのブランクホルダの移動距離が９ｍｍとなり、オーバーシュートが４０％、アンダーシュートが３２％となった。
【００９６】
予備加速を行わない場合、予備加速を行う場合に比べて、ダイクッション力指令に対応するダイクッション力が発生するまでのブランクホルダの移動距離を短くすることができるが、オーバーシュート及びアンダーシュートが大きくなるという問題がある。
【００９７】
＜比較例３＞
図６は、本発明に係る予備加圧を行った場合のダイクッション力作用時の各物理量の変化を示す波形図であり、図６（ａ）はスライド位置及びダイクッション位置を示す波形図であり、図６（ｂ）はダイクッション力（荷重）指令及びダイクッション力（荷重）応答を示す波形図である。
【００９８】
ダイクッション力指令に対応するダイクッション力が発生するまでのブランクホルダの移動距離（ダイクッション力応答距離）が０ｍｍとなり、オーバーシュートが１６％、アンダーシュートが１２％となった。
【００９９】
予備加圧を行った場合、安定性は、十分に予備加速を行った比較例１に対して若干欠如するものの、一般的（客観的）には安定していると考えられ、比較例２よりも優れている。
【０１００】
特筆すべきは、ダイクッション力の立ち上がりの速さにおいて、比較例１よりも圧倒的に優位であり、比較例２よりも優位である。
【０１０１】
［その他］
この実施形態のダイクッション力発生器は、クッションパッドを昇降させる油圧シリンダと、この油圧シリンダを駆動する油圧モータ及びサーボモータにより構成されているが、これに限らず、ダイクッション力を発生させるものであれば、例えば、クッションパッドを昇降させるスクリューナット機構と、このスクリューナット機構を駆動するサーボモータを用いた機構や、クッションパッドを昇降させるラック・アンド・ピニオン機構と、このラック・アンド・ピニオン機構を駆動するサーボモータで基本構成されるものでもよく、本発明はサーボダイクッション装置であれば、いかなるものにも適用することができる。
【０１０２】
また、この実施形態では、材料に少なくともロックビードを成形するプレス加工を行う場合について説明したが、ロックビードを成形しないプレス加工の場合にも本発明は適用できる。
【０１０３】
更に、ダイクッション力指令は、ステップ状のダイクッション力指令に限らず、ダイクッション位置に応じて段階的に変化し、又はテーパー状に変化するものでもよい。
【０１０４】
また、本発明は上述した実施形態に限定されず、本発明の精神を逸脱しない範囲で種々の変形が可能であることは言うまでもない。
【符号の説明】
【０１０５】
１００…プレス機械、１１０…スライド、１１４…スライド位置検出器、１１６…クランク軸エンコーダ、１２０…上金型、１２０ａ、２０２ａ…ロックビード成形部、１２２…下金型、２００…ダイクッション装置、２０２…ブランクホルダ、２０３…材料、２０４…クッションピン、２１０…クッションパッド、２２０…油圧シリンダ、２２４…ダイクッション位置検出器、２５０…油圧回路、２５４…油圧ポンプ／モータ、２５６…サーボモータ、２５８…角速度検出器、２６４…圧力検出器、３００…ダイクッション制御装置、３１０…ダイクッション位置制御装置、３１２…ダイクッション位置指令器、３１４…ダイクッション位置制御器、３２０…ダイクッション力制御装置、３２２…ダイクッション力指令器、３２４…ダイクッション力制御器
【図１】
0005951591.tif 000002
【図２】
0005951591.tif 000003
【図３】
0005951591.tif 000004
【図４】
0005951591.tif 000005
【図５】
0005951591.tif 000006
【図６】
0005951591.tif 000007
【図７】
0005951591.tif 000008
【図８】
0005951591.tif 000009
【図９】
0005951591.tif 000010